(57)【要約】【課題】整備に費やされる労力を軽減する。【解決手段】マーキング体３０は、鋼帯の表面に情報をマーキングする。マーキング体３０が、筆記具保持部５２を有している。筆記具保持部５２は、マーキングに用いられる筆記具１５０を保持する。マーキング体３０が、ベース部５０と、揺動可能接続部５４と、傾斜変動部５６と、押付部５８とを筆記具保持部５２に加えて有していることが望ましい。揺動可能接続部５４は、筆記具保持部５２を揺動可能にベース部５０へ接続する。傾斜変動部５６は、鋼帯の表面に対する筆記具保持部５２の傾斜を鋼帯の表面の屈曲に応じて変動させる。押付部５８は、鋼帯の表面に情報をマーキングする際に鋼帯へ筆記具１５０を押付ける。【選択図】図４
2020146743.tif 000002
【特許請求の範囲】
【請求項１】
物の表面に情報をマーキングするマーキング体であって、
前記マーキングに用いられる筆記具を保持する筆記具保持部を有していることを特徴とするマーキング体。
【請求項２】
前記マーキング体が、
ベースとなるベース部と、
前記筆記具保持部を揺動可能に前記ベース部へ接続する揺動可能接続部と、
前記物の表面に対する前記筆記具保持部の傾斜を前記物の表面の屈曲に応じて変動させる傾斜変動部と、
前記物の表面に前記情報をマーキングする際に前記物へ前記筆記具を押付けるための押付部とを前記筆記具保持部に加えて有しており、
前記押付部が前記ベース部に接続され前記ベース部に力を加えることにより前記物へ前記筆記具を押付けるものであり、
前記筆記具保持部が、
前記揺動可能接続部を介して前記ベース部へ接続される接続体と、
前記筆記具が固定され、かつ、前記接続体へ接続される筆記具固定体と、
前記接続体と前記筆記具固定体との間における前記力の伝達を緩和する緩和部とを有していることを特徴とする請求項１に記載のマーキング体。
【請求項３】
前記緩和部が、
前記筆記具固定体を前記接続体に対する相対運動が可能に前記接続体に接続する固定体接続部と、
前記接続体と前記筆記具固定体との間に接続され前記筆記具固定体の前記接続体に対する相対運動に伴って変形する弾性体とを有していることを特徴とする請求項２に記載のマーキング体。
【請求項４】
前記傾斜変動部が、
前記物の表面に接触するためのものであり、かつ、前記物に対する相対運動をするための相対運動体と、
複数の方向への前記相対運動が自在となるように前記相対運動体を前記筆記具保持部に接続する運動体接続部とを有していることを特徴とする請求項２に記載のマーキング体。
【発明の詳細な説明】
【技術分野】
【０００１】
本発明は、マーキング体に関する。
【背景技術】
【０００２】
特許文献１は、円筒管のマーキング方法を開示する。このマーキング方法は、次に述べられる工程を備える。その第１の工程は、柔軟性のある材料で作製したマーキング版に所望の表示文字をくり抜き加工する工程である。第２の工程は、表示文字がくり抜き加工されたマーキング版を、その柔軟性を利用して円筒管の湾曲面形状に追従させながら密着して取り付ける工程である。第３の工程は、マーキング版の上から文字表示部に向かって、インク又は他の染料及び塗料等を吹き付ける工程である。第４の工程は、厚膜の層となったマーキング剤を乾燥機等で乾燥させ、円筒管表面の湾曲面に所望のマーキング文字を施す工程である。第５の工程は、乾燥したマーキング剤により円筒管表面の湾曲面に貼り付いているマーキング版を、屈折又は屈曲させることにより円筒管表面から剥離する工程である。
【０００３】
特許文献１に開示された発明によると、滲みが発生しない円筒管のマーキング方法を実現することができる。
【先行技術文献】
【特許文献】
【０００４】
【特許文献１】特開２００８−２３８１０３号公報
【発明の概要】
【発明が解決しようとする課題】
【０００５】
しかしながら、特許文献１に開示された発明には、インク又は他の染料及び塗料等を吹き付けるための装置の整備に多大な労力を要するという問題点がある。
【０００６】
本発明は、上述した問題点を解決するものである。その目的は、整備に費やされる労力を軽減できるマーキング体を提供することにある。
【課題を解決するための手段】
【０００７】
図面に基づいて本発明のマーキング体が説明される。なお、この欄で図中の符号を使用したのは、発明の内容の理解を助けるためであって、内容を図示した範囲に限定する意図ではない。
【０００８】
上述した課題を解決するために、本発明のある局面に従うと、マーキング体３０は、物２００の表面に情報をマーキングする。マーキング体３０が、筆記具保持部５２を有している。筆記具保持部５２は、マーキングに用いられる筆記具１５０を保持する。
【０００９】
筆記具１５０によって物２００の表面に情報がマーキングされるので、筆記具保持部５２が保持する筆記具１５０を換えることで筆記具１５０の不備は解消できる。筆記具１５０を換えることでその不備を解消できるので、筆記具１５０にまつわる整備に費やされる労力は軽減できる。その結果、整備に費やされる労力を軽減できるマーキング体３０を提供できる。
【００１０】
また、上述したマーキング体３０が、ベース部５０と、揺動可能接続部５４と、傾斜変動部５６と、押付部５８とを筆記具保持部５２に加えて有していることが望ましい。ベース部５０はベースとなる。揺動可能接続部５４は、筆記具保持部５２を揺動可能にベース部５０へ接続する。傾斜変動部５６は、物２００の表面に対する筆記具保持部５２の傾斜を物２００の表面の屈曲に応じて変動させる。押付部５８は、物２００の表面に情報をマーキングする際に物２００へ筆記具１５０を押付ける。この場合、押付部５８がベース部５０に接続されベース部５０に力を加えることにより物２００へ筆記具を押付けるものであることが望ましい。この場合、筆記具保持部５２が、接続体８０と、筆記具固定体８２と、緩和部８４とを有していることが望ましい。接続体８０は、揺動可能接続部５４を介してベース部５０へ接続される。筆記具固定体８２には筆記具１５０が固定される。筆記具固定体８２は、接続体８０へ接続される。緩和部８４は、接続体８０と筆記具固定体８２との間における力の伝達を緩和する。
【００１１】
物２００の表面に対する筆記具保持部５２の傾斜が物２００の表面の屈曲に応じて変動すると、筆記具保持部５２が保持する筆記具１５０の傾斜も表面の屈曲に応じて変動する。そのように傾斜が変動するので、筆記具１５０にかかる物２００からの反力を受けた筆記具１５０のいずれかの部分に変形が生じる恐れが軽減される。その際、接続体８０が揺動可能接続部５４を介してベース部５０へ接続される。筆記具固定体８２は、接続体８０へ接続される。筆記具固定体８２には筆記具１５０が固定される。これにより、押付部５８がベース部５０に加えた力は筆記具固定体８２に伝わる。筆記具固定体８２に伝わった力が物２００へ筆記具１５０を押付ける。緩和部８４は、接続体８０と筆記具固定体８２との間における力の伝達を緩和する。力の伝達が緩和されるので、その力を受けた筆記具１５０のいずれかの部分に変形が生じる恐れが軽減される。変形が生じる恐れが軽減されると、変形に伴う筆記具１５０の交換の必要性が軽減される。交換の必要性が軽減されると、筆記具１５０にまつわる整備に費やされる労力を軽減できる。その結果、物２００の表面の屈曲に対応するように物２００の表面に情報をマーキングでき、かつ、整備に費やされる労力を軽減できるマーキング体３０を提供できる。
【００１２】
もしくは、上述した緩和部８４が、固定体接続部１００と、弾性体１０２とを有していることが望ましい。固定体接続部１００は、筆記具固定体８２を接続体８０に対する相対運動が可能に接続体８０に接続する。弾性体１０２は、接続体８０と筆記具固定体８２との間に接続される。弾性体１０２は、筆記具固定体８２の接続体８０に対する相対運動に伴って変形する。
【００１３】
弾性体１０２は、接続体８０と筆記具固定体８２との間に接続される。弾性体１０２は、筆記具固定体８２の接続体８０に対する相対運動に伴って変形する。これにより、押付部５８がベース部５０に加えた力は弾性体１０２によって緩和された状態で筆記具１５０に伝わることとなる。その力が緩和されるので、その力を受けた筆記具１５０のいずれかの部分に変形が生じる恐れが軽減される。その結果、物２００の表面の屈曲に対応するように物２００の表面に情報をマーキングでき、かつ、整備に費やされる労力を軽減できるマーキング体３０を提供できる。
【００１４】
また、上述した傾斜変動部５６が、相対運動体１２０と、運動体接続部１２２とを有していることが望ましい。相対運動体１２０は、物２００の表面に接触するためのものである。相対運動体１２０は、物２００に対する相対運動をするためのものである。運動体接続部１２２は、複数の方向への相対運動が自在となるように相対運動体１２０を筆記具保持部５２に接続する。
【００１５】
相対運動体１２０は、物２００の表面に接触するためのものである。相対運動体１２０は、物２００に対する相対運動をするためのものである。運動体接続部１２２は、複数の方向への相対運動が自在となるように相対運動体１２０を筆記具保持部５２に接続する。これにより、次に述べられる場合に比べて、駆動装置３２がマーキング体３０を後述の一方向とは異なる方向へ動かす際、相対運動体１２０を動かすことに伴って筆記具保持部５２に大きな力がかかる可能性を低くできる。その場合とは、相対運動体１２０が一方向にのみそのような相対運動をする場合である。そのような大きな力がかかる可能性を低くできるので、そのような大きな力を受けた筆記具１５０のいずれかの部分に変形が生じる恐れが軽減される。その結果、物２００の表面の屈曲に対応するように物２００の表面に情報をマーキングでき、かつ、整備に費やされる労力を軽減できるマーキング体３０を提供できる。
【発明の効果】
【００１６】
本発明に係るマーキング体は、整備に費やされる労力を軽減できる。
【図面の簡単な説明】
【００１７】
【図１】本発明のある実施形態に係る情報マーキング装置の外観図である。
【図２】本発明のある実施形態に係る情報マーキング装置のマーキング体および駆動装置の外観図である。
【図３】本発明のある実施形態に係る情報マーキング装置のマーキング体の正面図である。
【図４】本発明のある実施形態に係る情報マーキング装置のマーキング体の側面図である。
【図５】本発明のある実施形態に係る情報マーキング装置のマーキング体の背面図である。
【図６】本発明のある実施形態に係る情報マーキング装置のマーキング体の動きを示す概念図である。
【図７】本発明のある実施形態に係る情報マーキング装置において筆記具に加わる力が緩和されている状況を示す概念図である。
【発明を実施するための形態】
【００１８】
以下、本発明の実施形態を図面に基づき説明する。以下の説明では、同一の部品には同一の符号を付してある。それらの名称及び機能も同一である。したがって、それらについての詳細な説明は繰り返さない。
【００１９】
［情報マーキング装置の構成］
図１は、本実施形態に係る情報マーキング装置２０の外観図である。図２は、本実施形態に係る情報マーキング装置２０のマーキング体３０および駆動装置３２の外観図である。図１と図２とに基づいて、本実施形態に係る情報マーキング装置２０の構成が説明される。
【００２０】
本実施形態に係る情報マーキング装置２０は、マーキング体３０と、駆動装置３２と、昇降装置３４と、図示されない制御装置とを備える。
【００２１】
マーキング体３０は、鋼帯２００の表面に情報をマーキングする。すなわち鋼帯２００の表面に情報が付される。マーキング体３０の具体的な構成は後述される。
【００２２】
駆動装置３２は、マーキング体３０を駆動する。駆動装置３２は、第１駆動部４６と、第２駆動部４８とを有する。
【００２３】
第１駆動部４６は、図示されない周知のスライダの組とこれらスライダの組を収容する筐体とを有する。本実施形態の場合、これらのスライダがマーキング体３０を実際に移動させる。これらのスライダの一方はマーキング体３０を予め定められた第１の方向へ移動させる。これらのスライダの他方はマーキング体３０を第１の方向に直交する第２の方向へ移動させる。これにより、マーキング体３０は第１の方向と第２の方向とに沿う平面に沿って移動可能となる。
【００２４】
第２駆動部４８は、図示されない軸材と、その軸材を固定する図示されない部材と、図示されない周知の回転駆動機構と、図示されない周知のスライダとを有する。その軸材は第１駆動部４６の筐体を貫通する。これにより、第１駆動部４６はその軸材の中心を軸として回転可能となる。第２駆動部４８の図示されない回転駆動機構が、第１駆動部４６に接続される。その回転駆動機構は周知のシリンダとリンクとを有しており、第１駆動部４６を回転させる。これにより、第２駆動部４８は、第１駆動部４６ごとマーキング体３０を傾斜させることができる。第２駆動部４８の図示されないスライダが、上述された軸材ごと第１駆動部４６を移動させる。
【００２５】
昇降装置３４は、駆動装置３２を昇降させる。これにより、昇降装置３４は駆動装置３２ごとマーキング体３０を昇降させることとなる。
【００２６】
制御装置は、マーキング体３０の後述される押付部５８の対と、第１駆動部４６の図示されないスライダと、第２駆動部４８の図示されない回転駆動機構およびスライダと、昇降装置３４とを制御する。制御装置がこれらを制御するための具体的な構成は周知である。したがってここではその詳細な説明は繰り返されない。
【００２７】
図３は、本実施形態に係る情報マーキング装置２０のマーキング体３０の正面図である。図４は、本実施形態に係る情報マーキング装置２０のマーキング体３０の側面図である。図３と図４とに基づいて、本実施形態に係るマーキング体３０の構成が説明される。
【００２８】
本実施形態の場合、マーキング体３０は、ベース部５０と、筆記具保持部５２と、揺動可能接続部５４と、傾斜変動部５６の対と、押付部５８の対と、接続ブラケット６０と、復帰部６２とを有している。
【００２９】
本実施形態の場合、ベース部５０は矩形の板状の部材である。このベース部５０は、筆記具保持部５２と揺動可能接続部５４と傾斜変動部５６と押付部５８とのベースとなる。
【００３０】
筆記具保持部５２は、筆記具１５０を保持する。筆記具保持部５２の具体的な構成は後述される。
【００３１】
揺動可能接続部５４は、筆記具保持部５２をベース部５０へ接続する。本実施形態の場合、揺動可能接続部５４は周知のヒンジによって構成される。これにより、図３において二点鎖線で示されたように、筆記具保持部５２は揺動変動可能となる。
【００３２】
傾斜変動部５６は、鋼帯２００の表面に対する筆記具保持部５２の傾斜を鋼帯２００の表面の屈曲に応じて変動させる。傾斜変動部５６の具体的な構成は後述される。
【００３３】
押付部５８は、鋼帯２００の表面に情報をマーキングする際に鋼帯２００へ筆記具１５０を押付ける。本実施形態の場合、押付部５８は、第１駆動部４６とベース部５０との間に接続される。本実施形態の場合、押付部５８は、周知であるシリンダによって構成される。本実施形態の場合、押付部５８は、ベース部５０に力を加えることにより鋼帯２００へ筆記具１５０を押付けるものである。
【００３４】
接続ブラケット６０には押付部５８の対が固定される。接続ブラケット６０は、押付部５８の対を第１駆動部４６のスライダへ接続する。これにより、マーキング体３０全体が第１駆動部４６へ接続される。
【００３５】
復帰部６２は、傾斜変動部５６が筆記具保持部５２の傾斜を変動させた後、その傾斜を所定の状態に復帰させる。本実施形態の場合、復帰部６２は、２本のコイルばねによって構成される。
【００３６】
図５は、本実施形態に係る情報マーキング装置２０のマーキング体３０の背面図である。図４と図５とに基づいて、本実施形態に係る筆記具保持部５２および傾斜変動部５６の具体的な構成が説明される。
【００３７】
本実施形態の場合、筆記具保持部５２は、接続体８０と、筆記具固定体８２と、緩和部８４とを有している。
【００３８】
接続体８０は、揺動可能接続部５４を介してベース部５０へ接続される。本実施形態の場合、接続体８０は、ベース部５０に対向するように配置される板状のベース対向部９０と、そのベース対向部９０の一端から突出する板状の板状突出部９２とを有する。ベース対向部９０に揺動可能接続部５４が接続される。本実施形態の場合、ベース対向部９０のうち揺動可能接続部５４が接続される面の背面に周知のボールキャスター９６が接続される。板状突出部９２には、直接または間接に筆記具固定体８２と緩和部８４とが接続される。
【００３９】
筆記具固定体８２には筆記具１５０が固定される。本実施形態の場合、筆記具固定体８２は、緩和部８４を介して接続体８０の板状突出部９２へ接続される。
【００４０】
緩和部８４は、接続体８０と筆記具固定体８２との間における力の伝達を緩和する。本実施形態の場合、緩和部８４は、固定体接続部１００と、弾性体１０２とを有している。固定体接続部１００は、筆記具固定体８２を接続体８０に対する相対運動が可能な状態で接続体８０の板状突出部９２へ接続する。本実施形態におけるその相対運動の方向は、押付部５８がベース部５０に加える力のベクトルに沿う方向である。その結果、本実施形態においては、筆記具固定体８２はスライド可能である。弾性体１０２は、接続体８０（直接には、後述される運動体接続部１２２）と筆記具固定体８２との間に接続される。弾性体１０２は、筆記具固定体８２の接続体８０に対する相対運動に伴って変形する。本実施形態の場合、弾性体１０２は周知のコイルばねによって構成される。
【００４１】
本実施形態の場合、傾斜変動部５６は、筆記具１５０の両脇に配置される。傾斜変動部５６は、相対運動体１２０と、運動体接続部１２２とを有している。相対運動体１２０は、鋼帯２００の表面に接触するためのものである。相対運動体１２０は、鋼帯２００に対する相対運動をするためのものである。本実施形態の場合、相対運動体１２０は、上述のボールキャスター９６と同一のボールキャスターにより構成される。運動体接続部１２２は、複数の方向への相対運動が自在となるように相対運動体１２０を筆記具保持部５２に接続する。本実施形態の場合、運動体接続部１２２は、接続体８０の板状突出部９２に密着する板状の部分と、その板状の部分の一端から突出して相対運動体１２０が接続される部分とを有する。上述された弾性体１０２は、運動体接続部１２２を介して接続体８０の板状突出部９２に接続される。
【００４２】
［使用方法の説明］
まず、酸洗が完了した鋼帯２００が情報マーキング装置２０の下に設置される。図示されないセンサがこのことを検知すると、そのセンサは情報マーキング装置２０の制御装置に対して信号を送信する。その信号を受信した情報マーキング装置２０の制御装置は、情報マーキング装置２０のマーキング体３０が鋼帯２００上の所定の位置に対向するように昇降装置３４を制御する。本実施形態の場合、その位置は鋼帯２００の上端から周方向に少し離れた場所である。
【００４３】
マーキング体３０が鋼帯２００の所定の位置に対向すると、情報マーキング装置２０の制御装置は、マーキング体３０の筆記具１５０の先端が鋼帯２００の中心方向を向くように第２駆動部４８を制御する。マーキング体３０の筆記具１５０の先端が鋼帯２００の中心方向を向くと、情報マーキング装置２０の制御装置は、筆記具１５０が鋼帯２００に軽く押付けられるように押付部５８を制御する。
【００４４】
図６は、このときのマーキング体３０の動きを示す概念図である。図６から明らかなように、傾斜変動部５６のうち最初に相対運動体１２０が鋼帯２００に接触した方は、接続体８０ひいては筆記具保持部５２にモーメントを与える。モーメントが与えられることで、筆記具保持部５２の傾斜は変動する。
【００４５】
図７は、このときに筆記具１５０に加わる力が緩和されている状況を示す概念図である。筆記具１５０が鋼帯２００に押付けられると、まず筆記具保持部５２は接続体８０に対し相対運動する。これに伴って弾性体１０２は伸びる。伸びた弾性体１０２は筆記具１５０を鋼帯２００に押付ける。これにより、押付部５８がベース部５０に加えた力がそのまま筆記具１５０に伝わることは回避される。筆記具１５０は鋼帯２００に軽く押付けられる。
【００４６】
筆記具１５０が鋼帯２００に軽く押付けられると、情報マーキング装置２０の制御装置は、筆記具１５０が鋼帯２００に所定の文字を書くように第１駆動部４６を制御する。その際、相対運動体１２０は筆記具１５０と共に鋼帯２００の表面をスムーズに移動する。その移動に伴って相対運動体１２０の一方が鋼帯２００から押し上げられると、その相対運動体１２０ひいては傾斜変動部５６は筆記具保持部５２にモーメントを与える。モーメントが与えられることで、筆記具保持部５２の傾斜は変動する。
【００４７】
筆記具１５０が鋼帯２００に所定の文字を書くと、情報マーキング装置２０の制御装置は、筆記具１５０が鋼帯２００から離れるように昇降装置３４を制御する。筆記具１５０が鋼帯２００から離れると、鋼帯２００は次の工程が実施される場所へ搬出される。
【００４８】
［効果の説明］
以上のようにして、本実施形態に係るマーキング体３０ひいては情報マーキング装置２０は、鋼帯２００の表面の屈曲に対応するように鋼帯２００の表面に情報をマーキングできる。その際、筆記具１５０によって鋼帯２００の表面に情報がマーキングされるので、筆記具保持部５２が保持する筆記具１５０を換えることで筆記具１５０の不備を解消できる。筆記具１５０を換えることでその不備を解消できるので、筆記具１５０にまつわる整備に費やされる労力を軽減できる。その結果、鋼帯２００の表面の屈曲に対応するように鋼帯２００の表面に情報をマーキングでき、かつ、整備に費やされる労力を軽減できるマーキング体３０ひいては情報マーキング装置２０を提供できる。
【００４９】
本実施形態に係るマーキング体３０ひいては情報マーキング装置２０において、筆記具固定体８２に固定された筆記具１５０は、接続体８０に対する相対運動が可能になる。その状態で筆記具１５０が受ける力が緩和される。相対運動が可能な状態で筆記具１５０が受ける力が緩和されるので、その力を受けた筆記具１５０のいずれかの部分に変形が生じる恐れが軽減される。その変形が生じる恐れが軽減されると、その変形に伴う筆記具１５０の交換の必要性が軽減される。交換の必要性が軽減されると、筆記具１５０にまつわる整備に費やされる労力を軽減できる。その結果、整備に費やされる労力を軽減できるマーキング体３０ひいては情報マーキング装置２０を提供できる。
【００５０】
本実施形態に係るマーキング体３０ひいては情報マーキング装置２０において、相対運動体１２０は複数の方向への相対運動が自在となるように筆記具保持部５２に接続される。これにより、相対運動体１２０が一方向にのみそのような相対運動をする場合に比べて、第１駆動部４６がマーキング体３０をその一方向とは異なる方向へ動かす際、相対運動体１２０を動かすことに伴って筆記具保持部５２に大きな力がかかる可能性を低くできる。そのような大きな力がかかる可能性を低くできるので、そのような大きな力を受けた筆記具１５０のいずれかの部分に変形が生じる恐れが軽減される。
【００５１】
［変形例の説明］
上述したマーキング体３０ひいては情報マーキング装置は、本発明の技術的思想を具体化するために例示したものである。各部材の形状、構造、配置などをこれらの実施形態のものに限定するものではない。各部材の形状、構造、配置は、種々の変更を加え得るものである。
【００５２】
例えば、傾斜変動部５６の構成は上述したものに限定されない。押付部５８および緩和部８４の構成も上述したものに限定されない。上述したマーキング体３０ひいては情報マーキング装置がマーキングの対象とする物は鋼帯２００に限定されない。
【符号の説明】
【００５３】
２０…情報マーキング装置
３０…マーキング体
３２…駆動装置
３４…昇降装置
４６…第１駆動部
４８…第２駆動部
５０…ベース部
５２…筆記具保持部
５４…揺動可能接続部
５６…傾斜変動部
５８…押付部
６０…接続ブラケット
６２…復帰部
８０…接続体
８２…筆記具固定体
８４…緩和部
９０…ベース対向部
９２…板状突出部
９６…ボールキャスター
１００…固定体接続部
１０２…弾性体
１００…相対運動体
１２２…運動体接続部
１５０…筆記具
２００…鋼帯
【図１】
2020146743.tif 000003
【図２】
2020146743.tif 000004
【図３】
2020146743.tif 000005
【図４】
2020146743.tif 000006
【図５】
2020146743.tif 000007
【図６】
2020146743.tif 000008
【図７】
2020146743.tif 000009